(57)【要約】【課題】  単一の型シートから中仕切り板を有するものを形成するものにあって、底板の厚みを薄く、且つ、型シートの面積を小さく抑えることができる収容箱を提供する。【解決手段】  単一の型シート１１Ａを折り曲げることによって底板２とこの底板２より立設された４つの側板３，４，５，６とで囲まれる内部スペースが形成され、且つ、この内部スペースが第１及び第２中仕切り板９，１０によって複数の収容室ａ〜ｄに分割された収容箱１Ａにおいて、第１及び第２中仕切り板９，１０は、互いに対向する一対の側板４，６より仕切り位置調整しろ部１７，２２を介して延設され、第１及び第２中仕切り板９，１０同士が互いの交差用スリット１８，２３の差し込みによって交差されている。【選択図】      図１
2006347553.tif 000002
【特許請求の範囲】
【請求項１】
単一の型シートを折り曲げることによって底板とこの底板より立設された複数の側板とで囲まれる内部スペースが形成され、且つ、この内部スペースが複数の中仕切り板によって複数の収容室に分割された収容箱において、
前記複数の中仕切り板は２以上の側板より延設され、且つ、前記中仕切り板同士が互いの交差用スリットの差し込みによって交差されたことを特徴とする収容箱。
【請求項２】
請求項１記載の収容箱であって、
前記中仕切り板は、前記側板より仕切り位置調整しろ部を介して延設されたことを特徴とする収容箱。
【請求項３】
請求項１記載の収容箱であって、
前記中仕切り板は、１つの側板より２つ以上延設されたことを特徴とする収容箱。
【請求項４】
請求項１記載の収容箱であって、
前記型シートは、段ボール材で形成されたことを特徴とする収容箱。
【発明の詳細な説明】
【技術分野】
【０００１】
本発明は、中仕切り板によって内部スペースが複数の収容室に分割された収容箱に関する。
【背景技術】
【０００２】
この種の従来の収容箱として、図８〜図１２に示すものがある（例えば、特許文献１参照）。
【０００３】
この収容箱１００は、図８に示すように、長方形状の底板１０１と、この底板１０１の４つの外辺より立設された４つの側板１０２と、この各側板１０２の上辺より折り曲げ自在に設けられた４つの天板１０３と、内部スペースを十字形状に４つに仕切る第１及び第２仕切り板１０４，１０５とを備えている。
【０００４】
この収容箱１００は、図９に示す単一の型シート１１０を折り曲げることによって製造される。即ち、図９に示すように、型シート１１０は、底板１０１を形成する一対の第１底板１０１ａ，１０１ａ及び一対の第２底板１０１ｂ，１０１ｂと、これら各底板１０１ａ，１０１ｂに延設された４つの側板１０２と、この各側板１０２に延設された４枚の天板１０３と、側板１０２に延設された糊代部１１１とを備えている。
【０００５】
一対の第１底板１０１ａ，１０１ａには、第１中仕切り板１０４がそれぞれ延設されている。各第１底板１０１ａ，１０１ａの中央には中仕切り挿入用スリット１１２がそれぞれ形成されている。各第１中仕切り板１０４の中央には、中仕切り挿入用スリット１１２に連続する交差用スリット１１３がそれぞれ形成されている。
【０００６】
一対の第２底板１０１ｂ，１０１ｂには、第２中仕切り板１０５がそれぞれ延設されている。各第２中仕切り板１０５の中央には交差用スリット１１４がそれぞれ形成されている。また、第１底板１０１ａと側板１０２のように隣接する各板の間には折り曲げ線部１１５がそれぞれ設けられている。
【０００７】
次に、型シート１１０から収容箱１００を組み立てる手順を簡単に説明する。
【０００８】
型シート１１０は、糊代部１１１を貼着面１１６に接着し、フラットな状態に折り畳んだ状態で保管、出荷等がなされる。この状態にあって、図１０に示すように、４つの側板１０２を折り曲げて長方形の枠体に組み立て、第１及び第２底板１０１ａ，１０１ｂ側を上方にする。
【０００９】
次に、図１１に示すように、一対の第１底板１０１ａ，１０１ａを折り曲げによって底面に配置し、且つ、各第１中仕切り板１０４を内部スペース側に突出させる。次に、図１２に示すように、一対の第２底板１０１ｂ，１０１ｂを折り曲げて第１底板１０１ａに重ね合わせる。この重ね合わせの際に、第２中仕切り板１０５を第１中仕切り板１０４の中仕切り挿入用スリット１１２に挿入し、且つ、第２中仕切り板１０５の交差用スリット１１４と第１中仕切り板１０４の交差用スリット１１３を互いに差し込むことによって交差させる。これにより、図８に示す収容箱１００を製造できる。
【００１０】
上記従来例では、単一の型シート１１０から第１及び第２中仕切り板１０４，１０５を有する収容箱１００を製造できる。
【００１１】
そして、収容箱１００は、内部スペースが第１及び第２中仕切り板１０４，１０５によって十字状に４つの収容室ａ〜ｄに分割されているため、果実等のパックを各収容室ａ〜ｄに規則正しく分割収容するのに使用される。
【特許文献１】特開２００３−３３５３２５号公報
【発明の開示】
【発明が解決しようとする課題】
【００１２】
しかしながら、前記従来の収容箱１００では、一対の第１底板１０１ａ，１０１ａと一対の第２底板１０１ｂ，１０１ｂとを組み合わせることによって底板１０１が二層構造に形成されるため、底板１０１の厚みが厚くなり、また、型シート１１０の面積が大きくなるという問題があった。
【００１３】
そこで、本発明は、前記した課題を解決すべくなされたものであり、単一の型シートから中仕切り板を有するものを形成するものにあって、底板の厚みを薄く、且つ、型シートの面積を小さく抑えることができる収容箱を提供することを目的とする。
【課題を解決するための手段】
【００１４】
請求項１の発明は、単一の型シートを折り曲げることによって底板とこの底板より立設された複数の側板とで囲まれる内部スペースが形成され、且つ、この内部スペースが複数の中仕切り板によって複数の収容室に分割された収容箱において、前記複数の中仕切り板は２以上の側板より延設され、且つ、前記中仕切り板同士が互いの交差用スリットの差し込みによって交差されたことを特徴とする。
【００１５】
請求項２の発明は、請求項１記載の収容箱であって、前記中仕切り板は、前記側板より仕切り位置調整しろ部を介して延設されたことを特徴とする。
【００１６】
請求項３の発明は、請求項１記載の収容箱であって、前記中仕切り板は、１つの側板より２つ以上延設されたことを特徴とする。
【００１７】
請求項４の発明は、請求項１記載の収容箱であって、前記型シートは、段ボール材で形成されたことを特徴とする。
【発明の効果】
【００１８】
請求項１の発明によれば、側板に中仕切り板を延設することから、底板を一層構造に形成できる。従って、単一の型シートから中仕切り板を有するものを形成するものにあって底板の厚みを薄く、且つ、型シートの面積を小さく抑えることができる。
【００１９】
請求項２の発明によれば、仕切り位置調整しろ部の長さによって仕切り位置を自由に調整できる。
【００２０】
請求項３の発明によれば、仕切り数を容易に増加することができる。
【００２１】
請求項４の発明によれば、構造的に強い収容箱を低コストで製造できる。
【発明を実施するための最良の形態】
【００２２】
以下、本発明の一実施形態を図面に基づいて説明する。
【００２３】
図１〜図３は本発明の第１実施形態を示し、図１（ａ）は収容箱の斜視図、図１（ｂ）は型シートの上面図（収容箱の展開図）、図２は収容箱の組み立て過程を示す斜視図、図３は収容箱の組み立て過程を示す斜視図である。
【００２４】
図１（ａ）に示すように、収容箱１Ａは、段ボール材により形成され、長方形状の底板２と、この底板２の４つの外辺より立設された４つの側板３，４，５，６と、後面側の側板５より折り曲げ自在に設けられた蓋７と、この蓋７の前端面に設けられた係止フラップ８と、内部スペースを十字形状に４つに仕切る２枚の第１中仕切り板９及び第２中仕切り板１０とを備えている。
【００２５】
この収容箱１Ａは、図１（ｂ）に示す単一の型シート１１Ａを折り曲げることによって製造される。以下、型シート１１Ａの構成を説明する。
【００２６】
図１（ｂ）に示すように、型シート１１Ａは、長方形状で、前端位置に左右一対の係止孔１２，１２を有する底板２と、この底板２の４つの外辺より外側に延設された４つの側板３，４，５，６と、後面側の側板５に延設された蓋７と、この蓋７に更に延設された係止フラップ８とを備えている。また、前面側の側板３は、外側板３ａと内側板３ｂから構成されていると共に、内側板３ｂには左右一対の係止片１３，１３が設けられている。外側板３ａと内側板３ｂの連結箇所にはフラップ差し込み孔１４が形成されている。
【００２７】
一方の側面側の側板４で、且つ、その前後方向の外辺には型補強用フラップ１５，１６がそれぞれ延設されている。一方の側面側の側板４で、且つ、外側の外辺には仕切り位置調整しろ部１７を介して第１中仕切り板９が延設されている。第１中仕切り板９には交差用スリット１８が１箇所に設けられている。また、仕切り位置調整しろ部１７には補強用フラップ２５が設けられている。
【００２８】
他方の側面側の側板６で、且つ、外側の辺には補強用側板１９と型補強用フラップ２０が設けられている。他方の側面側の側板６で、且つ、前後方向の辺には型補強用フラップ２１と仕切り位置調整しろ部２２を介して第２中仕切り板１０が延設されている。第２中仕切り板には交差用スリット２３が１箇所に設けられている。また、底板２と各側板３，４，５，６のように隣接する各板の間には、折り曲げ線部２４がそれぞれ形成されている。
【００２９】
次に、型シート１１Ａを折り曲げ加工することによって収容箱１Ａを組み立てる手順を説明する。
【００３０】
図１（ｂ）に示すように、型シート１１Ａにおいて、底板２に対して左右の側板４，６を折り曲げて立設状態とする。一方の側板４の仕切り位置調整しろ部１７を内側に折り返し、且つ、第１中仕切り板９を仕切り位置調整しろ部１７に対して折り曲げる。次に、一方の側板４側の各補強用フラップ１５，１６，２５を折り曲げる。他方の側板６の補強用側板１９を内側に折り返し、補強用フラップ２０，２１を折り曲げる。
【００３１】
次に、底板２に対し前面側の外側板３ａを折り曲げて立設状態とし、且つ、左右の型補強用フラップ１５，２５，２１，２０を包み込みつつ内側板３ｂを外側板３ａに対して折り返す。この折り返した内側板３ｂの一対の係止片１３，１３を底板２の一対の係止孔１２，１２に差し込む。これにより、図２に示す組み付け途中形態となる。
【００３２】
次に、他方の側板６の仕切り位置調整しろ部２２を折り曲げ、さらに、仕切り位置調整しろ部２２に対して第２中仕切り板１０を折り曲げる。この第２中仕切り板１０と第１中仕切り板９の交差する箇所では、互いの交差用スリット２３，１８を互いに差し込むことによって交差させる。これにより、図３に示す組み付け途中形態となる。
【００３３】
最後に、底板２に対して後面側の側板５を折り曲げて立設状態とし、後面側の側板５に対して蓋７を内側に折り曲げ、且つ、蓋７に対して係止フラップ８を内側に折り曲げれば、図１（ａ）に示す収容箱１Ａが完成する。この収容箱１Ａは、内部スペースが第１及び第２中仕切り板９，１０によって十字状に４つの収容室ａ〜ｄに分割される。
【００３４】
このように、収容箱１Ａでは、左右の側板４，６より第１及び第２中仕切り板９，１０を延設したので、底板２自体を一層構造に形成できる。従って、単一の型シート１１Ａから中仕切り板を有するものを形成するものにあって、底板２の厚みを薄く、且つ、型シート１１Ａの面積を小さく抑えることができる。
【００３５】
また、収容箱１Ａでは、第１及び第２中仕切り板９，１０は、仕切り位置調整しろ部１７，２２を介して設けられるので、仕切り位置調整しろ部１７，２２の長さを可変することによって仕切り位置を自由に調整できる。さらに、収容箱１Ａの型シート１１Ａは、段ボール材で形成されたので、構造的に強い収容箱１Ａを低コストで製造できる。
【００３６】
図４〜図７は本発明の第２実施形態を示し、図４は収容箱の斜視図、図５は型シートの上面図（収容箱の展開図）、図６は収容箱の組み立て過程を示す斜視図、図７は収容箱の組み立て過程を示す斜視図である。
【００３７】
図４に示すように、この第２実施形態の収容箱１Ｂは、前記第１実施形態のものと異なり、第１、第２、第３及び第４中仕切り板９，１０，３０，３１によって内部スペースが９つの収容室ａ〜ｉに分割されている。
【００３８】
図５に示すように、この第２実施形態の型シート１１Ｂは、前記第１実施形態のものと比較して、以下の点で異同がある。即ち、一方の側板４の外側の辺には、前記第１実施形態と同様に仕切り位置調整しろ部１７を介して第１中仕切り板９が延設されているが、仕切り位置調整しろ部１７の長さが短く設定されている。一方の側板４の後方向の外辺には、型補強用フラップ１６に換えて仕切り位置調整しろ部３２を介して第３中仕切り板３０が延設されている。第１及び第３中仕切り板９，３０には２箇所に交差用スリット１８，１８がそれぞれ形成されている。
【００３９】
また、他方の側板６の後方向の外辺には、前記第１実施形態と同様に、仕切り位置調整しろ部２２を介して第２中仕切り板１０が延設されているが、仕切り位置調整しろ部２２の長さが短く設定されている。他方の側板６の外側の辺には、補強用側板１９に替えて仕切り位置調整しろ部３３を介して第４中仕切り板３１が延設されている。第２及び第４中仕切り板１０，３１には２箇所に交差用スリット２３，２３がそれぞれ形成されている。尚、図４〜図７において、前記第１実施形態と同一構成部分には同一符号を付してその詳細な説明を省略する。
【００４０】
次に、型シート１１Ｂを折り曲げ加工することによって収容箱１Ｂを組み立てる手順を説明する。
【００４１】
図５に示すように、型シート１１Ｂにおいて、底板２に対して左右の側板４，６を折り曲げて立設状態とする。また、一方の側板４の仕切り位置調整しろ部１７を内側に折り返し、且つ、第１中仕切り板９を仕切り位置調整しろ部１７に対して折り曲げる。他方の側板６の仕切り位置調整しろ部３３を内側に折り返し、且つ、第４中仕切り板３１を仕切り位置調整しろ部３３に対して折り曲げる。次に、一方の側板４側の各補強用フラップ１５，２５を折り曲げる。他方の側板６側の補強用フラップ２０，２１を折り曲げる。
【００４２】
次に、底板２に対し前面側の外側板３ａを折り曲げて立設状態とし、且つ、左右の型補強用フラップ１５，２５，２０，２１を包み込みつつ内側板３ｂを外側板３ａに対して折り返す。この折り返した内側板３ｂの一対の係止片１３，１３を底板２の一対の係止孔１２，１２に差し込む。これにより、図６に示す組み付け途中形態となる。
【００４３】
次に、一方の側板４の仕切り位置調整しろ部３２を折り曲げ、さらに、仕切り位置調整しろ部３２に対して第３中仕切り板３０を折り曲げる。この第３中仕切り板３０と第１及び第４中仕切り板９，３１の交差する箇所では、互いの交差用スリット１８，２３を互いに差し込むことによって交差させる。他方の側板６の仕切り位置調整しろ部２２を折り曲げ、さらに、仕切り位置調整しろ部２２に対して第２中仕切り板１０を折り曲げる。この第２中仕切り板１０と第１及び第４中仕切り板９，３１の交差する箇所では、互いの交差用スリット１８，２３を互いに差し込むことによって交差させる。これにより、図７に示す組み付け途中形態となる。
【００４４】
最後に、底板２に対して後面側の側板５を折り曲げて立設状態とし、後面側の側板５に対して蓋７を内側に折り曲げ、且つ、蓋７に対して係止フラップ８を内側に折り曲げれば、図４に示す収容箱１Ｂが完成する。この収容箱１Ｂは、内部スペースが第１、第２、第３及び第４中仕切り板９，１０，３０，３１によって十字状に９つの収容室ａ〜ｉにそれぞれ分割される。
【００４５】
このように、収容箱１Ｂでは、左右の側板４，６より第１及び第３中仕切り板９，３０と第２及び第４中仕切り板１０，３１をそれぞれ延設したので、底板２自体を一層構造に形成できる。従って、単一の型シート１１Ｂから中仕切り板を有するものを形成するものにあって、底板２の厚みを薄く、且つ、型シート１１Ｂの面積を小さく抑えることができる。
【００４６】
また、収容箱１Ｂでは、第１〜第４中仕切り板９，１０，３０，３１は、それぞれ仕切り位置調整しろ部１７，２２，３２，３３を介して設けられたので、各仕切り位置調整しろ部１７，２２，３２，３３の長さを可変することによって仕切り位置を自由に調整できる。
【００４７】
さらに、収容箱１Ｂでは、一対の各側板４，６には、仕切り位置調整しろ部１７，２２，３２，３３を介して中仕切り板９，１０，３０，３１が２枚設けられているので、内部収容スペースを９つの収容室ａ〜ｉに分割できる。また、中仕切り板の枚数を増加することによって容易に収容室ａ〜ｉの数を増加させることができる。
【００４８】
尚、前記各実施形態によれば、収容箱１Ａ，１Ｂは、段ボール材より形成したが、厚紙、プラスチック等より形成しても良い。
【図面の簡単な説明】
【００４９】
【図１】本発明の第１実施形態を示し、（ａ）は収容箱の斜視図、（ｂ）は型シートの上面図（収容箱の展開図）である。
【図２】本発明の第１実施形態を示し、収容箱の組み立て過程を示す斜視図である。
【図３】本発明の第１実施形態を示し、収容箱の組み立て過程を示す斜視図である。
【図４】本発明の第２実施形態を示し、収容箱の斜視図である。
【図５】本発明の第２実施形態を示し、型シートの上面図（収容箱の展開図）である。
【図６】本発明の第２実施形態を示し、収容箱の組み立て過程を示す斜視図である。
【図７】本発明の第２実施形態を示し、収容箱の組み立て過程を示す斜視図である。
【図８】従来例の収容箱の斜視図である。
【図９】従来例の型シートの上面図（収容箱の展開図）である。
【図１０】従来例の収容箱の組み立て過程を示す斜視図である。
【図１１】従来例の収容箱の組み立て過程を示す斜視図である。
【図１２】従来例の収容箱の組み立て過程を示す斜視図である。
【符号の説明】
【００５０】
１Ａ，１Ｂ  収容箱
２  底板
３，４，５，６  側板
９  第１中仕切り板（中仕切り板）
１０  第２中仕切り板（中仕切り板）
１１Ａ，１１Ｂ  型シート
１７  仕切り位置調整しろ部
１８  交差用スリット
２２  仕切り位置調整しろ部
２３  交差用スリット
３０  第３中仕切り板（中仕切り板）
３１  第４中仕切り板（中仕切り板）
３２  中仕切り位置調整しろ部
３３  中仕切り位置調整しろ部
ａ〜ｉ  収容室
【図１】
2006347553.tif 000003
【図２】
2006347553.tif 000004
【図３】
2006347553.tif 000005
【図４】
2006347553.tif 000006
【図５】
2006347553.tif 000007
【図６】
2006347553.tif 000008
【図７】
2006347553.tif 000009
【図８】
2006347553.tif 000010
【図９】
2006347553.tif 000011
【図１０】
2006347553.tif 000012
【図１１】
2006347553.tif 000013
【図１２】
2006347553.tif 000014